(57)【要約】【課題】利用者の利便性を損なうことなく駆動源の消費電力を必要最小限にすること。【解決手段】原稿台ガラス２１２に対して撮像素子と同じ側に設けられた反射用光源と、原稿台ガラス２１２に対して撮像素子とは反対側に設けられた透過用光源とを備えるスキャナ装置１００において、撮像素子移動機構は、撮像素子を副走査方向に移動させる。光源移動機構は、透過用光源を副走査方向に移動させる。フィルムフォルダ６００は、原稿台ガラス２１２上の設置位置と、設置位置とは異なる位置とに変位自在であって、設置位置に設けられた場合に透過型原稿の位置決めをおこなう。連結機構は、フィルムフォルダ６００が設置位置に設けられた場合に光源移動機構と、撮像素子移動機構とをギア６０１を介して連動可能に連結する。【選択図】図８
2008048187.tif 000002
【特許請求の範囲】
【請求項１】
原稿台に対して撮像素子と同じ側に設けられた第１の光源と、前記原稿台に対して前記撮像素子とは反対側に設けられた第２の光源と、を備える画像読取装置において、
前記撮像素子を副走査方向に移動させる撮像素子移動機構と、
前記第２の光源を前記副走査方向に移動させる光源移動機構と、
前記原稿台上の設置位置と当該設置位置とは異なる位置とに変位自在であって、前記設置位置に位置付けられた場合に透過型原稿の設置位置を案内する位置決め部材と、
前記位置決め部材が前記設置位置に位置付けられた場合に前記撮像素子移動機構と前記光源移動機構とを連動可能に連結する連結機構と、
を備えることを特徴とする画像読取装置。
【請求項２】
前記連結機構は、前記位置決め部材に設けられて当該位置決め部材に対して回転自在な回転体を含み、前記位置決め部材が前記設置位置に位置付けられた場合に、前記回転体を介して前記撮像素子移動機構と前記光源移動機構とを連動可能に連結することを特徴とする請求項１に記載の画像読取装置。
【請求項３】
前記連結機構は磁性体を含んでおり、当該磁性体の磁力によって前記光源移動機構と前記撮像素子移動機構とを連動可能に連結することを特徴とする請求項１または請求項２に記載の画像読取装置。
【請求項４】
前記連結機構は、前記磁性体の磁力によって引きつけ合う連結部材を備え、当該連結部材は互いに対向する方向に直交する平面を接触させることで、前記光源移動機構と前記撮像素子移動機構とを連動可能に連結することを特徴とする請求項３に記載の画像読取装置。
【請求項５】
前記回転体は、前記撮像素子移動機構と前記光源移動機構とを連結する位置に位置付けられた場合に、前記位置決め部材を前記設置位置に位置付けることを特徴とする請求項２〜４のいずれか一つに記載の画像読取装置。
【請求項６】
前記原稿台を介して前記撮像素子に入射する外光を遮る形状であって前記原稿台に対して接離自在なカバー部材をさらに備え、
前記第２の光源は、前記カバー部材に設けられることを特徴とする請求項１〜５のいずれか一つに記載の画像読取装置。
【請求項７】
前記第２の光源は、ＬＥＤによって構成されていることを特徴とする請求項１〜６のいずれか一つに記載の画像読取装置。
【請求項８】
請求項１〜７のいずれか一つに記載の画像読取装置と、
前記画像読取装置が備える撮像素子に入射された光の強弱に応じた画像を記録媒体上に形成する画像形成装置と、
を備えることを特徴とする複合機。
【発明の詳細な説明】
【技術分野】
【０００１】
本発明は、画像読取装置および複合機に関する。
【背景技術】
【０００２】
従来、原稿を保持する原稿台に対して撮像素子と同じ側に設けられた反射用光源から光を照射し、原稿によって反射された光を読み取る反射型の読取機構に加えて、原稿台に対して撮像素子とは反対側に設けられた透過用光源から光を照射し、原稿を透過した光を読み取る透過型の読み取り機構を備える画像読取装置がある。このような画像読取装置において、光源と撮像素子とを走査方向に同時に移動させながら原稿画像を読み取る画像装置がある（たとえば、下記特許文献１参照。）。
【０００３】
【特許文献１】特開平１０−５１５９６号公報
【発明の開示】
【発明が解決しようとする課題】
【０００４】
しかしながら、上述した特許文献１の技術において、透過型原稿を読み取る際、原稿台を間にして対向配置された撮像素子および透過用光源をそれぞれ独立した駆動源からの駆動力を用いて移動させる場合に２つの駆動源が必要になるために画像読取装置が大型化し、画像読取装置における消費電力が増大するという問題がある。
【０００５】
これに対して、撮像素子および透過用光源を移動させる移動機構を連結することで、１つの駆動源によって撮像素子と光源とを連動させることが考えられる。しかしながら、この場合、反射型原稿を読み取る際には使用されない透過用光源が、撮像素子の移動に連動して常時移動するため、駆動源に不必要に大きな負荷がかかり、不必要に多くの電力を消費するという問題がある。
【０００６】
この対策として、読み取り対象とする原稿の種類に応じて連動のＯＮ／ＯＦＦを切り替える操作を利用者におこなわせることも考えられるが、このような操作は利用者にとって煩わしく、また、利用者の操作ミスによる誤動作の可能性があるという問題がある。
【課題を解決するための手段】
【０００７】
本発明にかかる画像読取装置は、原稿台に対して撮像素子と同じ側に設けられた第１の光源と、前記原稿台に対して前記撮像素子とは反対側に設けられた第２の光源と、を備える画像読取装置において、前記撮像素子を副走査方向に移動させる撮像素子移動機構と、前記第２の光源を前記副走査方向に移動させる光源移動機構と、前記原稿台上の設置位置と当該設置位置とは異なる位置とに変位自在であって、前記設置位置に位置付けられた場合に透過型原稿の設置位置を案内する位置決め部材と、前記位置決め部材が前記設置位置に位置付けられた場合に前記撮像素子移動機構と前記光源移動機構とを連動可能に連結する連結機構と、を備えることを特徴とする。
【０００８】
したがって、本発明によれば、光源移動機構と撮像素子移動機構とを同じ駆動源の駆動力を用いて移動させることができるので、光源移動機構と撮像素子移動機構とのそれぞれに駆動源を設ける場合と比べて、画像読取装置の小型化が可能となる。さらに、位置決め部材を設置位置に設けることで、光源移動機構へ駆動力を伝達するための利用者による特別な操作を介することなく連結機構によって光源移動機構へ駆動力が伝達される。このため、利用者の利便性を損なうことなく画像読取装置の小型化が可能となる。
【０００９】
また、本発明にかかる画像読取装置における前記連結機構は、前記位置決め部材に設けられて当該位置決め部材に対して回転自在な回転体を含み、前記位置決め部材が前記設置位置に位置付けられた場合に、前記回転体を介して前記撮像素子移動機構と前記光源移動機構とを連動可能に連結することを特徴とする。
【００１０】
したがって、本発明によれば、位置決め部材が設置位置に位置付けられた場合に回転体を介して光源移動機構と撮像素子移動機構とを連動可能に連結し、光源移動機構と撮像素子移動機構とを同じ駆動源の駆動力を用いて移動させることができるので、光源移動機構と撮像素子移動機構とのそれぞれに駆動源を設ける場合と比べて、画像読取装置の小型化を図りつつ、利用者の利便性を損なうことなく駆動源の消費電力を必要最小限にすることができる。
【００１１】
また、本発明にかかる画像読取装置における前記連結機構は磁性体を含んでおり、当該磁性体の磁力によって前記光源移動機構と前記撮像素子移動機構とを連動可能に連結することを特徴とする。
【００１２】
したがって、本発明によれば、磁性体の磁力によって光源移動機構と撮像素子移動機構とを連動可能に連結することができる。これによって、光源移動機構と撮像素子移動機構とを同じ駆動源の駆動力を用いて移動させることができるので、光源移動機構と撮像素子移動機構とのそれぞれに駆動源を設ける場合と比べて、画像読取装置の小型化を図りつつ、利用者の利便性を損なうことなく駆動源の消費電力を必要最小限にすることができる。
【００１３】
また、本発明にかかる画像読取装置における前記連結機構は、前記磁性体の磁力によって引きつけ合う連結部材を備え、当該連結部材は互いに対向する方向に直交する平面を接触させることで、前記光源移動機構と前記撮像素子移動機構とを連動可能に連結することを特徴とする。
【００１４】
したがって、本発明によれば、磁性体の磁力によって光源移動機構と撮像素子移動機構とを連動可能に連結するとともに、連結機構の連結部にトルクリミッタ機能を持たせることができる。これによって、光源移動機構と撮像素子移動機構とを同じ駆動源の駆動力を用いて移動させることができるので、光源移動機構と撮像素子移動機構とのそれぞれに駆動源を設ける場合と比べて、画像読取装置の小型化を図りつつ、利用者の利便性を損なうことなく駆動源の消費電力を必要最小限にすることができるとともに、画像読取装置の耐久性を高めることができる。
【００１５】
また、本発明にかかる画像読取装置における前記回転体は、前記撮像素子移動機構と前記光源移動機構とを連結する位置に位置付けられた場合に、前記位置決め部材を前記設置位置に位置付けることを特徴とする。
【００１６】
したがって、本発明によれば、連結機構を連結可能な位置に回転体を位置付けることで、併せて、位置決め部材を設置位置に位置決めすることができる。このため、位置決め部材の位置決めのための格別な構成を不要とし、画像読取装置の小型化を図りつつ、利用者の利便性を損なうことなく駆動源の消費電力を必要最小限にすることができる。
【００１７】
また、本発明にかかる画像読取装置は、前記原稿台を介して前記撮像素子に入射する外光を遮る形状であって前記原稿台に対して接離自在なカバー部材をさらに備え、前記第２の光源は、前記カバー部材に設けられることを特徴とする。
【００１８】
したがって、本発明によれば、第２の光源がカバー部材に設けられているため、原稿台をカバー部材で覆う動作のみで第２の光源を適切な位置に配置することができるとともに、画像読取装置の小型化を図りつつ、利用者の利便性を損なうことなく駆動源の消費電力を必要最小限にすることができる。
【００１９】
また、本発明にかかる画像読取装置における前記第２の光源は、ＬＥＤによって構成されていることを特徴とする。
【００２０】
したがって、本発明によれば、蛍光灯を用いる場合と比べて速やかに点灯可能であり、原稿の読み取りを迅速に開始することができるとともに、画像読取装置の小型化を図りつつ、利用者の利便性を損なうことなく駆動源の消費電力を必要最小限にすることができる。
【００２１】
また、本発明にかかる複合機は、上述した画像読取装置と、前記画像読取装置が備える撮像素子に入射された光の強弱に応じた画像を記録媒体上に形成する画像形成装置と、を備えることを特徴とする。
【００２２】
したがって、本発明によれば、複合機における画像読取機構の小型化を図りつつ、利用者の利便性を損なうことなく駆動源の消費電力を必要最小限にすることができる。
【発明を実施するための最良の形態】
【００２３】
（実施の形態１）
以下に添付図面を参照して、本発明にかかる画像読取装置の好適な実施の形態１を詳細に説明する。この実施の形態１は、本発明にかかる画像読取装置を実現するスキャナ装置への適用例を示す。
【００２４】
図１は、実施の形態１にかかるスキャナ装置の外観を示す斜視図である。はじめに、実施の形態１にかかるスキャナ装置１００の外観について説明する。図１に示すように、スキャナ装置１００は、本体ユニット１１０と、カバー部材としての透過型原稿用光源ユニット（以下、「ＴＰＵユニット」という）１２０と、を備えている。
【００２５】
ＴＰＵユニット１２０は、本体ユニット１１０に対して対向配置されており、ヒンジ部（図３中符号３００参照）を介して、本体ユニット１１０に連結されている。ＴＰＵユニット１２０は、ヒンジ部を支点にして、図１に示す状態から本体ユニット１１０に対して離反する方向に回転可能に連結されている（図７、図８参照）。
【００２６】
図２は、実施の形態１にかかるスキャナ装置の縦断正面図である。つぎに、実施の形態１のスキャナ装置１００の概略構成について説明する。図２に示すように、スキャナ装置１００は、本体ユニット１１０の外郭をなす本体ハウジング２１０と、ＴＰＵユニット１２０の外郭をなすＴＰＵハウジング２３０と、を備えている。
【００２７】
はじめに、本体ユニット１１０の概略構成について説明する。本体ユニット１１０における本体ハウジング２１０は、ＴＰＵハウジング２３０に向かって開口する開口部２１１を備えている。開口部２１１には、開口部２１１を閉塞するように原稿台ガラス２１２が設けられている。また、原稿台ガラス２１２上の所定の位置（図８参照）が、後述するフィルムフォルダの設置位置となる。
【００２８】
本体ハウジング２１０および原稿台ガラス２１２によって形成される空間２１３には、原稿台ガラス２１２に置かれた原稿を光学的に読み取るための光学部材２１４が設けられている。光学部材２１４は、第１の光源として、原稿台ガラス２１２に向けて光を照射する反射用光源２１５、反射用光源２１５から照射され原稿において反射された光を所定の経路に導く複数のミラー２１６、ミラー２１６によって導かれた光を受光する撮像素子２１７、ミラー２１６によって導かれた光を撮像素子２１７に結像させるレンズ２１８などから構成されている。
【００２９】
撮像素子２１７としては、たとえば、受光面に結像された映像を光電変換して、素子ごとの受光量に応じた電気信号を出力するフォトダイオードを用いることが可能である。スキャナ装置１００においては、前述のフォトダイオードが走査回路基板２１９上で主走査方向に沿って直進的に配列されてなるリニアイメージセンサが、撮像素子２１７として用いられている。
【００３０】
また、空間２１３には、スキャナキャリッジ２２０が設けられている。スキャナキャリッジ２２０は、原稿台ガラス２１２と平行であって、かつ、副走査方向に延出するキャリッジガイド２２１に沿って摺動自在に設けられている。
【００３１】
スキャナキャリッジ２２０には、モータ２２２に連結された撮像素子移動機構２２３を介して、駆動源としてのモータ２２２で発生させた駆動力が伝達される。詳細は後述するが、撮像素子移動機構２２３は、モータ２２２の駆動軸に連結されたギア列や、ギア列を構成するギアと従動ギア２２４との間に架けられた駆動ベルト２２５などによって連結されている（図３参照）。スキャナキャリッジ２２０は、駆動ベルト２２５に連結されている。
【００３２】
スキャナキャリッジ２２０は、モータ２２２で発生させた駆動力が撮像素子移動機構２２３を介して伝達されることによって、原稿台ガラス２１２に沿って副走査方向に移動する。上述した光学部材２１４は、スキャナキャリッジ２２０に搭載されている。光学部材２１４は、スキャナキャリッジ２２０の移動にともなって、原稿台ガラス２１２に沿って副走査方向に移動する。
【００３３】
つぎに、ＴＰＵユニット１２０について説明する。ＴＰＵユニット１２０は、原稿を照射可能な位置に第２の光源としての透過用光源部（図３参照）を設けるとともに、後述の透過型原稿を読み取る際に原稿台ガラス２１２に対して入射する外光を遮る遮光部材としての役割を果たす。ＴＰＵユニット１２０におけるＴＰＵハウジング２３０には、本体ハウジング２１０に対向する側に、本体ハウジング２１０に向かって開口する開口部２３１が設けられている。
【００３４】
ＴＰＵハウジング２３０には、光源としての透過用光源部（図３中符号３１８参照）が設けられている。透過用光源部は、写真用フィルムなどのような光透過型の原稿（以下、「透過型原稿」という）の読み取り動作に際して使用され、原稿台ガラス２１２に向けて光を照射する。透過用光源部は、原稿台ガラス２１２に沿って副走査方向に移動可能に設けられている。詳細な図示および説明を省略するが、ＴＰＵユニット１２０に設けられた動力伝達機構は、たとえば、撮像素子移動機構２２３に連結されたプーリ群や駆動ベルト２３３および駆動ベルト２３３が架けられたギア対などによって構成されている（一部図３参照）。
【００３５】
透過型原稿の読み取り動作に際しては、本体ユニット１１０とＴＰＵユニット１２０の間の、原稿台ガラス２１２の上の設置位置に位置決め部材としてのフィルムフォルダが位置付けられる（図６および図８中符号６００参照）。フィルムフォルダは、原稿台ガラス２１２上におけるフィルム用の読取位置にフィルムが設置されるように、フィルムの設置位置を案内するとともに、設置されたフィルムを読取位置に固定する。
【００３６】
紙などのような光反射型の原稿（以下、「反射型原稿」という）の読み取り動作に際しては、ＴＰＵハウジング２３０の開口部２３１全体を覆う形状の保護マット２３２が着脱自在に設けられる。
【００３７】
保護マット２３２は、不透明な材質で形成されており、反射型原稿を原稿台ガラス２１２に対して押さえ付けるとともに、反射用光源２１５以外の光源（透過用光源部や装置外部）から原稿に対して照射される光を遮る。これによって、反射用光源２１５から原稿に対して照射された光を効率的にミラー２１６へ反射させることができる。
【００３８】
保護マット２３２は、ＴＰＵユニット１２０と原稿台ガラス２１２との間に設けられ、たとえば、ＴＰＵハウジング２３０の本体ハウジング２１０側に対して着脱自在に設けられる。一方、スキャナ装置１００が透過型原稿を読み取る際には、保護マット２３２は取り外される。この場合、透過用光源部から照射された光は透過型原稿を透過し、撮像素子２１７の受光面に像を結ぶ。
【００３９】
なお、ここでは保護マット２３２はスキャナ装置１００から取り外されるように構成されている場合について説明したが、スキャナ装置１００から取り外すことなく、ＴＰＵユニット１２０と原稿台ガラス２１２との間から取り除くことができるように構成してもよい。たとえば、保護マット２３２の一端に保護マット２３２とスキャナ装置１００とを常時連結する連結部を設けることで、保護マット２３２をスキャナ装置１００から完全に取り外すことなく、ＴＰＵユニット１２０と原稿台ガラス２１２との間から保護マット２３２を取り除くことができるようにしてもよい。
【００４０】
図３は、スキャナ装置を一部断面して示す斜視図である。図３においては、ＴＰＵハウジング２３０および本体ハウジング２１０の一部を断面した状態が示されている。図３中符号３００は、本体ユニット１１０とＴＰＵユニット１２０とを連結するヒンジ部である。以下に、図３を用いて、モータ２２２の駆動力が伝達される各部について説明する。
【００４１】
図３に示すように、本体ハウジング２１０に設けられた撮像素子移動機構２２３は、モータ２２２の駆動軸に固定されたギア３０１、ギア３０１に連結されたギア列３０２〜３０６によって構成されている。ギア３０６の回転軸心となる軸には、上述した駆動ベルト２２５が架けられたギアが設けられている。
【００４２】
撮像素子移動機構２２３は、モータ２２２によって発生した駆動力を、ギア３０１〜３０６を介して駆動ベルト２２５に伝達することで、駆動ベルト２２５を回転させる。これによって、駆動ベルト２２５に連結されたスキャナキャリッジ２２０を、副走査方向に沿って移動させることができる。
【００４３】
また、ギア３０６の回転軸には、当該回転軸を回転軸心とするプーリ３０７が設けられている。プーリ３０７には、プーリ３０７の回転にともなって回転する複数のプーリ群３０８を介して、連結機構３０９を構成するギア３１０が連結されている。ギア３１０は、本体ハウジング２１０の上面においてＴＰＵユニット１２０側に向けて開口する開口部３１１、３１２、および後述するフィルムフォルダに設けられた回転体（図６中符号６０１参照）を介してＴＰＵユニット１２０側に設けられたギア３１３と噛み合うことによって、連結機構３０９を構成する。
【００４４】
ＴＰＵハウジング２３０には、上述した駆動ベルト２３３が架けられたギア対における一方のギア３１４とギア３１３とを連結するプーリ群３１５が設けられている。ギア対における他方のギア３１６は、駆動ベルト２３３の回転に従動して回転する。ギア３１４とギア３１６とは、副走査方向に沿って対向配置されている。ここに、駆動ベルト２３３、ギア対を構成するギア３１４、３１６、およびプーリ群３１５によって光源移動機構３２３が構成されている。
【００４５】
図３中符号３１７は、ギア３１３、プーリ群３１５を構成するプーリ、ギア３１４などの軸を支持するステイである。ギア３１３は、ステイ３１７に支持された軸３１３ａに対して回転自在に設けられている。また、ギア３１３とギア３１０との間には隙間が存在し、この状態ではギア３１３とギア３１０とは噛み合わないように構成されている。
【００４６】
図３中符号３１８は、上述した透過用光源部を示している。透過用光源部３１８は、透過用光源部３１８に設けられた固定部３１９において、駆動ベルト２３３に連結されている。これにより、透過用光源部３１８は、駆動ベルト２３３の回転にともなって副走査方向に沿って移動する。
【００４７】
ＴＰＵハウジング２３０には、駆動ベルト２３３の側方であって、かつ、透過用光源部３１８の移動軌跡に重複する位置において、副走査方向に沿って延出するガイドレール３２０が設けられている。ガイドレール３２０には、透過用光源部３１８においてガイドレール３２０に対向する位置に設けられた溝３２１が嵌め込まれる。これによって、透過用光源部３１８を副走査方向に沿って安定して移動させることができる。
【００４８】
透過用光源部３１８から照射された光は、ＴＰＵハウジング２３０に設けられた開口部３２２を介して、原稿台ガラス２１２側に導かれる。開口部３２２は、透過用光源部３１８のうち、フィルムの読み取り範囲をカバーするように設けられている。
【００４９】
図４は、透過用光源部を示す分解斜視図である。つぎに、透過用光源部３１８の構成について説明する。図４に示すように、透過用光源部３１８は、ＬＥＤ４０１と、ＬＥＤ４０１によって発光された光を伝播させる導光板４０２と、を備えている。導光板４０２によって、ＬＥＤ１個あたりの照射面積よりも広い面積を照射することができる。なお、図４中、導光板４０２に表記された仮想線は、導光板４０２における有効発光エリアを示している。
【００５０】
導光板４０２中を伝播された光は、プリズムシート４０３および拡散シート４０４を介して、支持フレーム４０５に設けられた開口部４０６から、原稿台ガラス２１２に向けて照射される。プリズムシート４０３および拡散シート４０４を介することにより、導光板４０２中を伝播された光をより広い面積に照射することができる。
【００５１】
透過用光源部３１８において、導光板４０２を間にして開口部４０６とは反対側には、導光板４０２中を伝播された光を開口部４０６へ向けて反射させる反射板４０７が設けられている。反射板４０７を設けることによって、導光板４０２中を伝播された光を、効率よく原稿台ガラス２１２側へ照射することができる。
【００５２】
上述した固定部３１９は、支持フレーム４０５の側方に設けられており、原稿台ガラス２１２側から駆動ベルト２３３を挟持するように、上方に向けて開口している。なお、透過用光源部３１８は、ＬＥＤ４０１ではなく蛍光灯を用いても構成することができるが、ＬＥＤ４０１を用いることでより迅速な点灯が可能となり、スキャナ装置１００の読み取り操作を迅速におこなうことができる。
【００５３】
図５は、スキャナ装置の一部を拡大して示す縦断正面図（その１）である。図５は、上述したフィルムフォルダが本体ユニット１１０から取り外された状態を示している。図５に示すように、連結機構３０９におけるギア３１３には、本体ユニット１１０に向けて突出するギア歯５０１が設けられている。連結機構３０９におけるギア３１０には、ギア歯５０１が噛み合わされるギア歯５０２が設けられている。上述したように、ギア３１３とギア３１０との間には隙間が存在しているため、この状態ではギア３１３とギア３１０とは噛み合わない。
【００５４】
図６は、スキャナ装置の一部を拡大して示す縦断正面図（その２）である。図６は、上述したフィルムフォルダが本体ユニット１１０に位置付けられた状態を示している。図６に示すように、フィルムフォルダ６００は、フィルムフォルダ６００の面に垂直な軸心回りに回転するギア６０１を備えている。ギア６０１は、ギア歯６０１ａとギア歯６０１ｂとを備えている。
【００５５】
ギア歯６０１ａは、フィルムフォルダ６００が設置位置に設けられている場合に、ギア３１３のギア歯５０１と噛み合う。ギア歯６０１ｂは、フィルムフォルダ６００が設置位置に設けられている場合に、ギア３１０のギア歯５０２と噛み合う。これによって、ギア３１０とギア３１３とがギア６０１を介して連結され、モータ２２２の駆動力が光源移動機構３２３に伝達される。
【００５６】
図７は、フィルムフォルダ取り外し時のスキャナ装置の外観を示す斜視図である。図８は、フィルムフォルダの位置付け時のスキャナ装置の外観を示す斜視図である。図７に示すように、ギア３１０は本体ハウジング２１０から突出しておらず、ギア３１３もＴＰＵハウジング２３０から突出していない。このため、フィルムフォルダ６００の取り外し時にＴＰＵユニット１２０を本体ユニット１１０に降下させた場合、ギア３１０とギア３１３との間には隙間が存在し、ギア３１０とギア３１３とは噛み合わない（図５参照）。
【００５７】
一方、図８に示すように、フィルムフォルダ６００が本体ユニット１１０の設置位置に位置付けられている場合、ギア３１０とフィルムフォルダ６００のギア６０１とが噛み合い、ギア６０１は本体ユニット１１０から突出した状態となる。この状態でＴＰＵユニット１２０を本体ユニット１１０に降下させた場合、ギア６０１とギア３１３とが噛み合い（図６参照）、モータ２２２の駆動力が光源移動機構３２３に伝達される。
【００５８】
なお、ここではフィルムフォルダ６００がスキャナ装置１００から取り外されるように構成されている場合について説明したが、スキャナ装置１００から取り外すことなく、上述した設置位置から設置位置とは異なる位置へ変位することができるように構成してもよい。たとえば、フィルムフォルダ６００の一端にフィルムフォルダ６００とスキャナ装置１００とを常時連結する連結部を設けることで、フィルムフォルダ６００をスキャナ装置１００から完全に取り外すことなく、ＴＰＵユニット１２０と原稿台ガラス２１２との間からフィルムフォルダ６００を取り除くことができるようにしてもよい。
【００５９】
図示を省略するが、スキャナ装置１００は、上述した構成に加えて、利用者による各種指示操作を受け付ける操作パネルや、スキャナ装置１００における各部を駆動制御する各種制御回路や、操作パネルによって受け付けた指示操作に応じて各種制御回路を制御する制御系などを備えている。操作パネルでは、反射型原稿を読み取る指示操作や、透過型原稿を読み取る指示操作などを受け付ける。
【００６０】
加えて、図示を省略するが、スキャナ装置１００は、パーソナルコンピュータなどの外部装置との間で通信をおこなう通信Ｉ／Ｆを備えていてもよい。この場合、スキャナ装置１００は、パーソナルコンピュータにおいて受け付けた指示操作に応じた指示情報を、通信Ｉ／Ｆを介して受信する。
【００６１】
スキャナ装置１００は、操作パネルを介して受け付けた指示操作や、通信Ｉ／Ｆを介して受信した指示情報に応じて、スキャナキャリッジ２２０を移動させたり、反射用光源２１５や透過用光源部３１８を点灯／消灯させたり、撮像素子２１７に結像された光を光電変換することによって画像データを生成したりする。
【００６２】
スキャナ装置１００は、生成された画像データを、任意の記憶媒体に記憶するようにしてもよいし、通信Ｉ／Ｆを介してパーソナルコンピュータなどの外部装置に送信するようにしてもよい。
【００６３】
このような構成を備えたスキャナ装置１００によって透過型原稿を読み取る場合、利用者は、原稿台ガラス２１２上にフィルムフォルダ６００を設置し、フィルムフォルダ６００によって案内される所定の位置に透過型原稿を設置する。また、利用者は、透過型原稿の設置に前後して、ＴＰＵハウジング２３０から保護マット２３２を取り外す。
【００６４】
つづいて、図１あるいは図２に示したように、ＴＰＵユニット１２０を本体ユニット１１０に対向させる。これにより、連結機構３０９におけるギア３１０とギア３１３とがギア６０１を介して連結され、撮像素子移動機構２２３と光源移動機構３２３とが連結される。
【００６５】
その後、利用者は、透過型原稿の画像を読み取る指示操作をおこなう。指示操作は、スキャナ装置１００が備える操作パネルを介しておこなってもよいし、パーソナルコンピュータなどの外部装置によっておこなってもよい。
【００６６】
透過型原稿の画像を読み取る指示操作があった場合、スキャナ装置１００は、モータ２２２を駆動させ、スキャナキャリッジ２２０および透過用光源部３１８を副走査方向に沿って移動させながら、撮像素子２１７の受光量を検出する。そして、検出された受光量に基づいて画像データを生成する。
【００６７】
なお、画像データの生成に先立って、画像データにおける黒色や白色の基準となる各種基準データを取得し、取得された基準データを用いて画像データのシェーディング補正をおこなってもよい。基準データの取得および取得された基準データを用いたシェーディング補正については、公知の技術であるため、ここでは説明を省略する。
【００６８】
上述したように、実施の形態１のスキャナ装置１００によれば、光源移動機構３２３と撮像素子移動機構２２３との駆動源を単一のモータ２２２によって実現することができるため、光源移動機構３２３と撮像素子移動機構２２３とにそれぞれ独立したモータを設ける場合と比べてスキャナ装置１００の小型化を図ることができる。
【００６９】
さらに、実施の形態１のスキャナ装置１００によれば、透過型原稿を読み取るためにフィルムフォルダ６００が位置付けられた場合にのみ光源移動機構３２３に駆動力が伝達されるため、モータ２２２の消費電力を必要最小限にすることができる。また、フィルムフォルダ６００の設置位置への位置付けは、透過型原稿を読み取るためには利用者が通常おこなわなければならない操作である。このため、利用者は光源移動機構３２３と撮像素子移動機構２２３とを連結するための特別な操作をおこなうことなく当該連結をおこなうことができるため、利用者の利便性を損なうことなくモータ２２２の消費電力を必要最小限にすることができる。
【００７０】
また、実施の形態１のスキャナ装置１００によれば、透過型原稿を読み取るためにフィルムフォルダ６００が設置位置に位置付けられた場合にのみ光源移動機構３２３に駆動力が伝わるため、モータ２２２にかかる負荷も必要最小限にすることができる。このため、反射型原稿を読み取る際にも光源移動機構３２３に駆動力が伝わる場合と比べて、スキャナ装置１００の耐久性を高めることができる。
【００７１】
また、ここではフィルムフォルダ６００を設置位置に位置付けることによってギア６０１がギア３１０およびギア３１３と噛み合う構成としたが、反対に、ギア６０１が、ギア３１０およびギア３１３と噛み合って連結する位置に位置付けられた場合に、フィルムフォルダ６００を設置位置に位置付けるように構成してもよい。これによって、フィルムフォルダ６００の位置決めのための格別な構成を不要とすることができる。
【００７２】
（実施の形態２）
つぎに添付図面を参照して、本発明にかかる画像読取装置の好適な実施の形態２を詳細に説明する。この実施の形態２は、本発明にかかる画像読取装置を実現するスキャナ装置への適用例を示す。実施の形態２においては、上述した実施の形態１と同一部分は同一符号で示し、説明を省略する。
【００７３】
図９は、実施の形態２にかかるスキャナ装置を一部断面して示す斜視図である。図９においては、ＴＰＵハウジング２３０および本体ハウジング２１０の一部を切断した場合の断面が示されている。以下に、図９を用いて、モータ２２２の駆動力が伝達される各部について説明する。
【００７４】
図９に示すように、実施の形態２にかかるスキャナ装置１００が備えるプーリ３０７には、複数のプーリ群３０８を介して、連結機構９０９の一部を構成する回転体である磁性体９００が連結されている。磁性体９００は、プーリ群３０８を介してモータ２２２の駆動力が伝達されることによって、プーリ群３０８の軸心方向と平行な軸心回りに回転する。
【００７５】
磁性体９００は、本体ハウジング２１０の上面においてＴＰＵユニット１２０側に向けて開口する開口部３１１、３１２を介して、ＴＰＵユニット１２０側に設けられた磁性体９０３に対向配置されている。ここに、プーリ３０７、プーリ群３０８、磁性体９００、開口部３１１、３１２および磁性体９０３によって連結機構９０９が構成される。磁性体９０３は、軸３１３ａに対して、磁性体９００の軸心と平行な軸心回りに回転自在である。
【００７６】
フィルムフォルダ６００が本体ユニット１１０の設置位置に位置付けられていない状態では、本体ユニット１１０とＴＰＵユニット１２０とを正対させた場合にも、磁性体９０３と磁性体９００との間には隙間が存在するため、モータ２２２の駆動力は透過用光源部３１８（図３参照）に伝達されない。
【００７７】
図１０は、スキャナ装置の一部を拡大して示す縦断正面図（その１）である。図１１は、スキャナ装置の一部を拡大して示す縦断正面図（その２）である。図１０は、本体ユニット１１０の設置位置からフィルムフォルダ６００が取り外された状態を示している。図１１は、本体ユニット１１０の設置位置にフィルムフォルダ６００が位置付けられた状態を示している。
【００７８】
図１０に示すように、実施の形態２にかかるスキャナ装置１００の軸３１３ａには、上述したギア３１３に代えて、軸３１３ａに対して回転自在な磁性体９０３が設けられている。また、同様に、ギア３１０に代えて磁性体９００が設けられている。
【００７９】
図１１に示すように、実施の形態２にかかるスキャナ装置１００のフィルムフォルダ６００には、上述したギア６０１に代えて、ギア６０１と同様にフィルムフォルダ６００の面に垂直な軸に対して回転自在な磁性体１１００が設けられている。本体ユニット１１０の設置位置にフィルムフォルダ６００を位置付けた状態で本体ユニット１１０とＴＰＵユニット１２０とを正対させた場合に、磁性体１１００と磁性体９０３、磁性体１１００と磁性体９００とがそれぞれ磁力によって連結し、モータ２２２の駆動力が透過用光源部３１８（図３参照）に伝達される。
【００８０】
連結機構９０９を構成する磁性体９００、磁性体９０３および磁性体１１００は、互いを引きつける磁力をともに有していてもよいし、少なくともいずれかが磁力を有していてもよい。磁性体９００、磁性体９０３および磁性体１１００のいずれかが磁力を有している場合、他の磁性体は、たとえば、鉄などのように、磁力によって引きつけられる性質を有している材料によって形成する。
【００８１】
磁性体９００、磁性体９０３および磁性体１１００において、互いに対向する面は、平面とされている。これによって、引力を作用させる面を広く確保し、磁性体９００と磁性体１１００、磁性体９０３と磁性体１１００とをそれぞれ確実に連結させることができる。磁性体９００、磁性体９０３および磁性体１１００において、互いに対向する平面は、磁性体９００、磁性体９０３および磁性体１１００がそれぞれ対向する方向と直交する。これによって、撮像素子移動機構２２３から伝達されたトルクが所定より大きい場合に、磁性体９００と磁性体９０３との間で滑りを生じさせ、所定の大きさ以上のトルクをプーリ群３１５に伝達しないトルクリミッタ機能を有することになる。
【００８２】
ここで、所定の大きさのトルクとは、透過用光源部３１８を移動させるために必要なトルクである。連結機構９０９におけるトルクリミッタ機能によって、所定の大きさ以上のトルクが伝達された場合にも、透過用光源部３１８、プーリ群３１５、あるいは駆動ベルト２３３が架けられたギア対など、透過用光源部３１８の移動にかかわる各部の破損を防止することができる。
【００８３】
上述したように、実施の形態２のスキャナ装置１００によれば、光源移動機構３２３と撮像素子移動機構２２３との駆動源を単一のモータ２２２によって実現することができるため、光源移動機構３２３と撮像素子移動機構２２３とにそれぞれ独立したモータを設ける場合と比べてスキャナ装置１００の小型化を図ることができる。
【００８４】
また、実施の形態２のスキャナ装置１００によれば、透過型原稿を読み取るためにフィルムフォルダ６００が設置位置に位置付けられた場合にのみ光源移動機構３２３に駆動力が伝わるため、モータ２２２の消費電力を必要最小限にすることができる。また、フィルムフォルダ６００の設置位置への位置付けは、透過型原稿を読み取るためには利用者が通常おこなわなければならない操作である。このため、利用者は光源移動機構３２３と撮像素子移動機構２２３とを連結するための特別な操作をおこなう必要がないため、利用者の利便性を損なうことなくモータ２２２の消費電力を必要最小限にすることができる。
【００８５】
また、実施の形態２のスキャナ装置１００によれば、透過型原稿を読み取るためにフィルムフォルダ６００が設置位置に位置付けられた場合にのみ光源移動機構３２３に駆動力が伝わるため、モータ２２２にかかる負荷も必要最小限にすることができる。このため、反射型原稿を読み取る際にも光源移動機構３２３に駆動力が伝わる場合と比べて、スキャナ装置１００におけるモータ２２２の耐久性を高めることができる。
【００８６】
また、実施の形態２のスキャナ装置１００によれば、連結機構９０９におけるトルクリミッタ機能によって、所定の大きさ以上のトルクが伝達された場合にも、透過用光源部３１８、プーリ群３１５、あるいは駆動ベルト２３３が架けられたギア対など、透過用光源部３１８の移動にかかわる各部の破損を防止することができる。このため、スキャナ装置１００における透過用光源部３１８の移動にかかわる各部の耐久性を高めることができる。
【００８７】
（実施の形態３）
つぎに添付図面を参照して、本発明にかかる複合機の好適な実施の形態３を詳細に説明する。この実施の形態３は、本発明にかかる画像読取装置および画像形成装置を実現する複合機への適用例を示す。実施の形態３においては、上述した実施の形態１、２と同一部分は同一符号で示し、説明も省略する。
【００８８】
図１２は、実施の形態３にかかる複合機の外観を示す斜視図である。実施の形態３にかかる複合機１２００は、上述した実施の形態１、２で説明したスキャナ装置１００と、スキャナ装置１００が備える撮像素子２１７に入射された光の強弱に応じた画像を被記録媒体上に形成する画像形成装置としてのプリンタ１２０１と、を備えている。
【００８９】
スキャナ装置１００とプリンタ１２０１とは、図示しない通信Ｉ／Ｆを介して相互通信可能に接続している。スキャナ装置１００は、撮像素子２１７に入射された光の強弱に応じた画像データをプリンタ１２０１へ出力する。
【００９０】
プリンタ１２０１は、紙などの被記録媒体に画像を形成するプリンタエンジンを備えている。公知の技術であるため図示および説明を省略するが、プリンタエンジンにおける画像形成方式は、たとえば、インクジェット方式、静電転写方式、昇華転写方式など、各種の方式を適用することができる。
【００９１】
このような構成を備える複合機１２００において、プリンタ１２０１は、スキャナ装置１００から出力された画像データに基づいて、紙などの被記録媒体に画像を形成する。
【００９２】
このような複合機１２００によれば、原稿の種類にかかわらず、原稿の画像を高精度に再現した画像データに基づく画像を、紙などの被記録媒体に形成することができる。また、これによって、利用者は、原稿の種類にかかわらず、原稿の画像を高精度に再現した画像データに基づく画像が形成された被記録媒体を得ることができる。
【図面の簡単な説明】
【００９３】
【図１】実施の形態１にかかるスキャナ装置の外観を示す斜視図。
【図２】実施の形態１にかかるスキャナ装置の縦断正面図。
【図３】スキャナ装置を一部断面して示す斜視図。
【図４】透過用光源部を示す分解斜視図。
【図５】スキャナ装置の一部を拡大して示す縦断正面図（その１）。
【図６】スキャナ装置の一部を拡大して示す縦断正面図（その２）。
【図７】フィルムフォルダ取り外し時のスキャナ装置の外観を示す斜視図。
【図８】フィルムフォルダの位置付け時のスキャナ装置の外観を示す斜視図。
【図９】実施の形態２にかかるスキャナ装置を一部断面して示す斜視図。
【図１０】スキャナ装置の一部を拡大して示す縦断正面図（その１）。
【図１１】スキャナ装置の一部を拡大して示す縦断正面図（その２）。
【図１２】実施の形態３にかかる複合機の外観を示す斜視図。
【符号の説明】
【００９４】
１００  スキャナ装置、１２０  ＴＰＵユニット、２１２  原稿台ガラス、２１７  撮像素子、２２２  モータ、２２３  撮像素子移動機構、３００  ヒンジ部、３０９  連結機構、３１８  透過用光源部、３２３  光源移動機構、６００  フィルムフォルダ、１２００  複合機、１２０１  プリンタ
【図１】
2008048187.tif 000003
【図２】
2008048187.tif 000004
【図３】
2008048187.tif 000005
【図４】
2008048187.tif 000006
【図５】
2008048187.tif 000007
【図６】
2008048187.tif 000008
【図７】
2008048187.tif 000009
【図８】
2008048187.tif 000010
【図９】
2008048187.tif 000011
【図１０】
2008048187.tif 000012
【図１１】
2008048187.tif 000013
【図１２】
2008048187.tif 000014